(57)【要約】【課題】  一つの容器で複数の揮発性物質を使用することが可能な、揮発性物質収納容器、を、提供する。【解決手段】  開口部２２を有し、揮発性物質を収納する外側容器２１と、  外側容器２１内に収納され、外側容器２１の開口部２２内に開口する、開口部３２を有する外側容器２１が収納する揮発性物質と異なる揮発性物質を収納する内側容器３１と、  内側容器３１を外側に固定するための内側容器支持部３３と、  を備える揮発性物質収納容器１１。【選択図】図１
2016042859.tif 000002
【特許請求の範囲】
【請求項１】
開口部を有し、揮発性物質を収納する外側容器と、
外側容器内に収納され、外側容器の開口部内に開口する、開口部を有する外側容器が収納する揮発性物質と異なる揮発性物質を収納する内側容器と、
を備える揮発性物質収納容器。
【請求項２】
開口部を有し、揮発性物質を収納する外側容器と、
外側容器内に収納され、外側容器の開口部内に開口する、開口部を有する外側容器が収納する揮発性物質と異なる揮発性物質を収納する内側容器と、
内側容器を外側に固定するための内側容器支持部と、
を備える揮発性物質収納容器。
【請求項３】
外側容器開口部及び内側容器開口部を覆うカバー、
を備える請求項１又は２のいずれかに記載の揮発性物質収納容器。
【請求項４】
外側容器開口部及び内側容器開口部上にファン
を備える請求項１又は請求項２のいずれか記載の揮発性物質収納容器。
【発明の詳細な説明】
【技術分野】
【０００１】
本発明は、揮発性物質収納容器に係る。詳細には、忌避剤あるいは、芳香剤等の揮発性物質を収納し、収納物質の揮発をさせる収納容器に係る。更に詳細には、異なる揮発性を有する複数の揮発性物質を収納して収納物質の揮発をさせる収納容器に係る。
【背景技術】
【０００２】
特許文献１に記載の「揮散装置」は、「揮発性を有する液体製剤を収容し、当該液体製剤に含まれた例えば、芳香剤、消臭剤、等の有効成分を室内等の空間に揮散させる揮散装置に関する。」、「開口部１１ｃを上方に向けて設置され液体製剤１５を収容する容器１１の開口部１１ｃから容器１１内に挿入された揮散手段１３の一端１３ａが容器１１の底面１１ｄに当接すると共に、他端に形成された揮散面１３ｂが容器１１の外部に露出して配置される。」からなる。
【０００３】
特許文献２に記載の「害虫防除器」は、「第１揮散面が、常温揮散性の害虫防除成分を大気中に揮散可能に保持し、第２揮散面が、常温揮散性液体を保持可能」からなる。
【０００４】
特許文献３に記載の「蒸散器」、特許文献４記載の「送風ファンの吹き出し部に設置する方向装置」は、中空円筒状から薬剤容器あるいは容器の一端にファンが取り付けられる。
【０００５】
特許文献５に記載の「芳香剤容器」は、「芳香剤を入れる容器であり上蓋部の通気口から芳香成分が発散する」。
【０００６】
特許文献６に記載の「芳香剤容器用のキャップ」は、「本体底面の歯状突部でボトルに装着された中栓の底部を打ち抜き、ボトル内に充填された芳香・消臭剤液等を本体の柱部とその底面に設けた穿孔部分から本体の柱部の中へ流入させる。本体上面の中央に設けられた円形開口部に吸液機能を有する芯を差し込んで、芳香・消臭剤液等を吸液させる。芯に吸液された芳香・消臭剤液等は、芯の上方端部まで到達し、揮散して外方へ拡散する。」からなる。
【０００７】
特許文献７に記載の「芳香剤容器用のキャップ」は、中栓についての記載がある。
【０００８】
特許文献８に記載の「芳香剤用容器の中栓」は、「容器本体に充填した芳香・消臭剤を、吸液機能を有する芯が付いた薬液揮散材を用いて揮散させる芳香剤用容器のための中栓」、「容器に装着することにより、容器本体に充填した芳香・消臭剤に浸らない状態で薬液揮散材を収めることができる。そして、本願意匠に係る物品を芳香剤容器から取り除くことにより、容器本体に充填した芳香・消臭剤を、該薬液揮散材を用いて揮散させることができる状態となる。」からなる。
【先行技術文献】
【特許文献】
【０００９】
【特許文献１】特開２００５−３２３９０１号公報
【特許文献２】特開２００３−２４５０３２号公報
【特許文献３】特開２００３−３８０７９号公報
【特許文献４】特開２００６−３４８６３号公報
【特許文献５】意匠登録第１４４６３６８号公報
【特許文献６】意匠登録第１１８６２２３号公報
【特許文献７】意匠登録第１３２５８００号公報
【特許文献８】意匠登録第１３５２０２５号公報
【発明の概要】
【発明が解決しようとする課題】
【００１０】
いずれの特許文献記載の従来例にも、一つの容器で複数の揮発性物質を使用することを目的とするものではなかった。
すなわち、例えば、特許文献７記載の「芳香剤容器用キャップ」は底部開口するものである。特許文献８記載「芳香剤用容器の中栓」は、異なる種類の揮発材を収納するものではない。
【００１１】
本発明の目的は、一つの容器で複数の揮発性物質を使用することが可能な、揮発性物質収納容器、
を提供することにある
【課題を解決するための手段】
【００１２】
この発明に係る揮発性物質収納容器は、
開口部を有し、揮発性物質を収納する外側容器と、
外側容器内に収納され、外側容器の開口部内に開口する、開口部を有する外側容器が収納する揮発性物質と異なる揮発性物質を収納する内側容器と、
を備える。
【００１３】
この発明に係る揮発性物質収納容器は、
開口部を有し、揮発性物質を収納する外側容器と、
外側容器内に収納され、外側容器の開口部内に開口する、開口部を有する外側容器が収納する揮発性物質と異なる揮発性物質を収納する内側容器と、
内側容器を外側に固定するための内側容器支持部と、
を備える。
【００１４】
更に、
この発明に係る揮発性物質収納容器は、
外側容器開口部及び内側容器開口部を覆うカバー、
を備える。
【００１５】
更に、
この発明に係る揮発性物質収納容器は、
外側容器開口部及び内側容器開口部上にファン
を備える。
【発明の効果】
【００１６】
本発明によれば、
一つの容器で複数の揮発性物質を使用することが可能な、揮発性物質収納容器、
を、提供する。
【図面の簡単な説明】
【００１７】
【図１】この発明の実施の形態に係る実施例の正面斜視図である。
【図２】この発明の実施の形態に係る実施例の一部分解斜視図である。
【図３】この発明の実施の形態に係る実施例に係る部品の斜視図である。
【図４】この発明の実施の形態に係る実施例の部品の斜視図である。
【図５】この発明の実施の形態に係る実施例の部品の斜視図である。
【図６】この発明の実施の形態に係る実施例の部品の斜視図である。
【図７】この発明の実施の形態に係る実施例の部品の正面断面図である。
【図８】この発明の実施の形態に係る実施例の部品の正面図である。
【図９】この発明の実施の形態に係る他の実施例の斜視図である。
【発明を実施するための形態】
【００１８】
この発明の実施の一形態に係る実施例を、この実施例をあらわす図１乃至図９に基づいて説明する。
【００１９】
１１は、揮発性物質収納容器である。２１は、外側容器である。外側容器２１は上部に開口部２２を有する。外側容器２１内には、揮発性物質を収納する。
３１は、内側容器である。内側容器３１は、円筒状からなる筒部３２を有する。筒部３２の上部は開口する開口部３６を有する。筒部３２の底部は閉口する。
３３は、内側容器支持部である。内側容器支持部３３は、内側容器３１の開口部３３周囲から星形に外側に突設される固定するための放射状部３４と放射状部３４の先端を連結する円周状からなる円周部３５とからなる。円周部３５は、外側容器２１の開口部２２と形状を一致させ、外側容器２１の開口部２２外周上に設置させる。
【００２０】
内側容器３１は、外側容器２１内中央に開口部３６を上に向けて収納され、外側容器２１の開口部２２内に開口する。内側容器３１には、外側容器２１が収納する揮発性物質と異なる揮発性物質を収納する。
４１は、カバーである。カバー４１は、外側容器２１の開口部２２及び内側容器３１の開口部３６を覆う。カバー４１表面には、開口部４２を複数設ける。
【００２１】
図９に図示される実施例では、外側容器開口部２２及び内側容器開口部３３上にファン５１を備える。ファン固定用キャップ５２は、図９に図示されるように、上部に立ち上がり上のキャップ取付部５３が設けられ、外側容器開口部２２及び内側容器開口部３３上に設置される。ファン５１は、ファン固定用キャップ５２上のキャップ取付部５３に設置される。ファン５１により、外側容器開口部２２及び内側容器開口部３３内に収納される、揮発性物質を揮散させる。
【００２２】
外側容器２１及び、内側容器３１にはそれぞれ異なる忌避剤あるいは殺虫剤等の揮発性物質を収納することが可能である。収納される揮発性物質は、ゲル状、固体状、液体状等のいずれの形態でもよいが、外側容器２１あるいは、内側容器３１はそれぞれ異なる形態のゲル状、固体状、液体状等揮発性物質を収納することが可能である。
この実施例で使用される忌避剤は、ねずみ、こうもり、猫、犬、虫等の対して有効な忌避剤を選択して使用する。
また、内側容器３１をはずして、外側容器２１だけで使用することも可能である。
【００２３】
忌避剤として、例えば、特開２０１３−１１６０５７「加熱蒸散装置」、特開２０１１−２４６３５１「加熱蒸散装置」記載の、イソボルニルチオシアノアセテート、イソボルニルチオシアノエチルエーテル、四級アンモニウム塩、サリチル酸ベンジル等の殺虫・殺ダニ剤；ロテノン、ｐ−メンタン−３，８−ジオール、ジエチルメタトルアミド、ジ−ｎ−ブチルサクシネート、ヒドロキシアニソール、ＩＢＴＡ、ＩＢＴＥ、等の忌避剤が知られている。
【００２４】
更に、害虫忌避剤としては、例えば特開２００３−２５０４１５「揮散性薬剤収納容器」記載の、Ｎ,Ｎ−ジエチル−メタ−トルアミド、２,３,４,５−ビスブチレン−テトラヒドロフラール、ジ−ｎ−プロピルイソシンコメロネート、ジ−ｎ−ブチルサクシネート、２−ヒドロキシエチルオクチルサルファイド等を、効力増強剤としては、例えばピペロニルブトキサイド、Ｎ−プロピルイゾーム、ＭＧＫ−２６４、サイネピリン２２２、サイネピリン５００、リーセン３８４、ＩＢＴＡ、ＩＢＴＥ、Ｓ４２１等を、揮散率向上剤としては、例えばフエネチルイソチオシアネート、ハイミツクス酸ジメチル等が知られている。
【００２５】
また、必要に応じて忌避剤の他に、殺虫剤を使用する場合は、例えば、天然ピレトリン、ピレトリン、ビフェントリン、アレスリン、フタルスリン、レスメトリン、フラメトリン、ペルメトリン、フェノトリン、シフェノトリン、プラレトリン、トランスフルトリン、メトフルトリン、プロフルトリン、イミプロトリン、エンペントリン、エトフェンプロックス等のピレスロイド系化合物；プロポクサー、カルバリル等のカーバメイト系化合物；フェニトロチオン、ジクロルボス（ＤＤＶＰ）等の有機リン系化合物；メトキサジアゾン等のオキサジアゾール系化合物；フィプロニル等のフェニルピラゾール系化合物；アミドフルメト等のスルホンアミド系化合物；ジノテフラン、イミダクロプリド等のネオニコチノイド等、メトプレン、ハイドロプレン等の昆虫幼若ホルモン剤、プレコセン等の抗幼若ホルモン剤、エクダイソン等の脱皮ホルモン剤等のホルモン剤；フィットンチッド、ハッカ油、オレンジ油、桂皮油、ベンジルアルコール、丁子油等の精油類などの１種又は２種以上を組み合わせたものが挙げられる。
【００２６】
更に、パラクロロメタキシレノール、３−ヨード−２−プロピルブチルカルバメート、チアベンダゾール、イソプロピルメチルフェノール、グルコン酸クロルヘキシジン、塩酸クロルヘキシジン等のグアニジン系殺菌剤等の殺菌剤；ラウリルメタクリレート、ゲラニルクロトネート、カテキン等の消臭剤；バラ油、ラベンダー油、ハッカ油等の精油；ピネン、リモネン、リナロール、メントール、オイゲノール等の香料等を用いることができる。
更に、発明が実施可能な限りにおいて、炭酸エステル、乳酸エステル、ポリビニルピロリドン、グリコール、アルコール等の有機溶剤；１，１’−オキシビス［２，３，３，３−テトラクロロプロパン］、サイネピリン（商品名）、ピペロニルブトキサイド等の共力剤等を用いてもよい。
【００２７】
また、必要に応じて、ＰＣＭＸ、ＩＰＢＣ、ＴＢＺ、イソプロピルメチルフェノール、グルコン酸クロルヘキシジン、塩酸クロルヘキシジン等のグアニジン系殺菌剤等の殺菌剤；ラウリルメタクリレート、ゲラニルクロトネート、カテキン等の消臭剤；バラ油、ラベンダー油、ハッカ油等の精油；ピネン、リモネン、リナロール、メントール、オイゲノール等の香料等が挙げられる。
【００２８】
その他の防虫剤として、テルペン類の化合物、芳香族化合物、ヒノキ科植物体の精油、マツ科植物体の精油、スギ科植物体の精油、クスノキ科植物体の精油、ミカン科植物体の精油、フトモモ科植物体の精油、シソ科植物体の精油、さらにヒノキ科、マツ科またはスギ科の植物体の抽出液（例えば有機溶媒抽出液等）、フィトンチッド、およびこれらの異性体および誘導体等が挙げられる。
【００２９】
また、特開２００３−２５０４１５「揮散性薬剤収納容器」記載の、常温で揮散する種々の芳香剤、消臭・防臭剤、殺菌剤、防黴剤等を併用(例えば防虫剤と混合)してもよい。芳香剤としては、例えばじゃ香、竜延香、アビエス油、アルモンド油、ページル油、パーチ油、カヤブチ油、シトロネラ油、ユーカリ油、フェンネル油、ガーリック油、ジンジャー油、グレープフルーツ油、レモン油、レモングラス油、ナツメッグ油、ハッカ油、オレンジ油、テレピン油、セイジ油などの天然香料、ピネン、リモネン、リナロール、ゲラニオール、シトロネラール、ボルネオール、ベンジルアルコール、アニスアルコール、アネトール、オイゲノール、アルデヒド、シトラール、シトロネラール、ワニリン、カルボン、ケトン、メントン、アセトフェノン、クマリン、シネオール、エチルアセテート、オクチルアセテート、プロピオン酸ブチル、イソ酪酸イソプロピル、カプロン酸アリル、安息香酸エチル、桂皮酸メチル、サリチル酸メチルなどの合成香料及び調合香料が挙げられる。
【００３０】
上記薬剤はゲル形態や打錠形態などでも使用することができる。さらに、トリシクロデカン、シクロドデカン、パラジクロロベンゼン、ナフタリン、樟脳、２,４,６−トリイソプロピル−１,３,５−トリオキサン、トリメチレンオルボルネン等の昇華性担体を用い、上記薬剤成分を溶融混合、擂潰混合後、成形して、昇華性防虫剤とすることもできる。
【００３１】
更に、害虫防除用の揮散性薬剤成分としては、例えば、害虫防除用揮散性薬剤容器殺虫剤、防虫剤、害虫忌避剤、吸血阻害剤等、ローズマリー油、ペニーロイヤル油、レモングラス油、オレンジ油、カシア油、ゼラニウム油、タイムホワイト油、ハッカ油、ヒバ油、ピメント油、フェンネル油、ペパーミント油、ベルガモット油、ラベンダー油、ルー油、ユーカリ油等の植物精油類が知られている。
【００３２】
したがって、この実施例では、外側容器２１及び、内側容器３１にはそれぞれ異なる忌避剤あるいは殺虫剤等の揮発性物質を収納することが可能であり、外側容器２１単独で忌避剤を収納して使用することが可能である。
【符号の説明】
【００３３】
１１  揮発性物質収納容器
２１  外側容器
２２  開口部
３１  内側容器
３３  内側容器支持部
【図１】
2016042859.tif 000003
【図２】
2016042859.tif 000004
【図３】
2016042859.tif 000005
【図４】
2016042859.tif 000006
【図５】
2016042859.tif 000007
【図６】
2016042859.tif 000008
【図７】
2016042859.tif 000009
【図８】
2016042859.tif 000010
【図９】
2016042859.tif 000011